(57)【特許請求の範囲】
【請求項１】
先端に金属端子が接続されたケーブルと、前記金属端子と前記ケーブルの一部を収容するハウジングと、表裏両側に抜けたケーブル挿通孔を設けて前記ケーブルに通した状態で前記ハウジングに組み込まれ、前記ケーブルと前記ハウジングの間の防水性を確保するシール部材と、表裏両側に抜けたケーブル挿通孔を設けて前記ケーブルに通した状態で前記シール部材の前記金属端子側とは反対側にて前記ハウジングに組み込まれ、前記ハウジングに前記シール部材を抜け止め状態に保持する保持部材とを有し、前記ハウジングと前記保持部材には互いに係合して前記ハウジングに前記保持部材を抜け止め状態に固定するための係合部が設けてある防水コネクタにおいて、前記保持部材は表裏対称形状で構成してあり、前記ハウジング側の係合部は前記ハウジングの内壁から突出して設けてある弾性腕であり、前記保持部材側の係合部は前記保持部材の外壁に設けてある溝であって、前記保持部材に設けたケーブル挿通孔の軸心方向で対向した一対の溝側壁からなる一対の係合面を有することを特徴とする防水コネクタ。
【請求項２】
前記保持部材にはさらに前記ケーブル挿通孔の周りで表裏両側に抜けた透孔を設けてあることを特徴とする請求項１に記載の防水コネクタ。
【請求項３】
前記ハウジングと前記保持部材にはさらに互いに嵌合して前記保持部材の周方向の位置決めを行うための嵌合部が設けてあり、前記係合部は前記嵌合部が互いに嵌合した状態で互いに係合することを特徴とする請求項１又は請求項２に記載の防水コネクタ。
【発明の詳細な説明】
【技術分野】
【０００１】
本発明は、防水コネクタに関する。
【背景技術】
【０００２】
従来、電線部の防水性を確保するシール部材を、保持部材でハウジングに抜け止め状態に保持する防水コネクタが知られている（例えば特許文献１参照）。
この防水コネクタでは、最初に保持部材とシール部材をこの順に電線に通してから組み立てを進め、最後にシール部材と保持部材をこの順にハウジングに組み込み、互いに係合可能な一対の係合部のうち一方の係合部を設けたハウジングに他方の係合部を設けた保持部材が一方の係合部と他方の係合部が係合した抜け止め状態で固定される。
ここで、保持部材は表裏非対称形状で構成されるため、ハウジングに組み込む際の向きが決まっており、ひいては電線に通す際の向きが決まっており、電線に通す際には向きに注意する必要があり、さらに向きを間違ったまま電線に通して組み立てを進めてしまうと、ハウジングに組み込めず、製品を分解又は廃棄する必要がある。
したがって、従来の防水コネクタは組立性が悪いという問題がある。
【先行技術文献】
【特許文献】
【０００３】
【特許文献１】特許第３２９２２７５号公報
【発明の概要】
【発明が解決しようとする課題】
【０００４】
本発明は前記問題に鑑みてなされたもので、その目的は、組立性を向上した防水コネクタを提供することにある。
【課題を解決するための手段】
【０００５】
１  先端に金属端子が接続されたケーブルと、前記金属端子と前記ケーブルの一部を収容するハウジングと、表裏両側に抜けたケーブル挿通孔を設けて前記ケーブルに通した状態で前記ハウジングに組み込まれ、前記ケーブルと前記ハウジングの間の防水性を確保するシール部材と、表裏両側に抜けたケーブル挿通孔を設けて前記ケーブルに通した状態で前記シール部材の前記金属端子側とは反対側にて前記ハウジングに組み込まれ、前記ハウジングに前記シール部材を抜け止め状態に保持する保持部材とを有し、前記ハウジングと前記保持部材には互いに係合して前記ハウジングに前記保持部材を抜け止め状態に固定するための係合部が設けてある防水コネクタにおいて、前記保持部材は表裏対称形状で構成してあることを特徴とする防水コネクタ。
この防水コネクタによれば、保持部材は表裏対称形状で構成してあるので、表裏の区別なく使用可能で、ハウジングに表裏どちらからでも組み込むことができ、ひいてはケーブルに表裏どちらからでも通すことができ、ケーブルに通す際に向きに注意する必要がなく、さらに向きを間違ってケーブルに通すという組み立て間違いが発生せず、組立性を向上することができる。
２  前記ハウジング側の係合部は前記ハウジングの内壁から突出して設けてある弾性腕であり、前記保持部材側の係合部は前記保持部材の外壁に設けてある溝であって、前記保持部材に設けたケーブル挿通孔の軸心方向で対向した一対の溝側壁からなる一対の係合面を有することを特徴とする１に記載の防水コネクタ。
この防水コネクタによれば、保持部材を表裏一側からケーブルに通した場合、ハウジングに設けてある弾性腕と保持部材に設けてある溝の一方の溝側壁からなる一方の係合面が係合し、保持部材を表裏反対側からケーブルに通した場合、ハウジングに設けてある弾性腕と保持部材に設けてある溝の他方の溝側壁からなる他方の係合面が係合して、それぞれ、ハウジングに保持部材を抜け止め状態に固定することができ、ハウジングに保持部材を簡単な形状の係合部で表裏の区別なく抜け止め状態に固定することができる。
３  前記保持部材にはさらに前記ケーブル挿通孔の周りで表裏両側に抜けた透孔を設けてあることを特徴とする１又は２に記載の防水コネクタ。
この防水コネクタによれば、組み立てた後に、保持部材に設けてある透孔からシール部材の有無を目視で確認できる。
４  前記ハウジングと前記保持部材にはさらに互いに嵌合して前記保持部材の周方向の位置決めを行うための嵌合部が設けてあり、前記係合部は前記嵌合部が互いに嵌合した状態で互いに係合することを特徴とする１から３のいずれか１に記載の防水コネクタ。
この防水コネクタによれば、ハウジング側の係合部と保持部材側の係合部が確実に係合し、ハウジングに保持部材を抜け止め状態により確実に固定することができる。
【発明の効果】
【０００６】
保持部材は表裏対称形状で構成してあるため、表裏の区別なく使用可能で、組立性を向上することができる。
【図面の簡単な説明】
【０００７】
【図１】本発明の実施形態に係る防水コネクタの斜視図である。
【図２】図１の防水コネクタの背面図である。
【図３】図２のＡ−Ａ線部分断面図である。
【図４】図２のＢ−Ｂ線部分断面図である。
【図５】パッキンを示す図であって、図５Ａは正面図、図５Ｂは平面図、図５Ｃは図５ＡのＡ−Ａ線断面図である。
【図６】ストッパーを示す図であって、図６Ａは正面図、図６Ｂは平面図、図６Ｃは右側面図である。
【図７】図６ＣのＡ−Ａ線断面図である。
【図８】パッキンとストッパーをハウジングに組み込む前の状態で示す図２のＡ−Ａ線部分断面図である。
【図９】パッキンとストッパーをハウジングに組み込む前の状態で示す図２のＢ−Ｂ線部分断面図である。
【発明を実施するための形態】
【０００８】
以下、本発明の実施形態を図面に基づいて説明する。本実施形態では、自動車の電気配線に使用されるものであって、後面側からケーブル１０が引き出される雄型の防水コネクタ２０を例示する。
以下では、相手コネクタに対する防水コネクタ２０の嵌合方向（図３の紙面下方向）を前方、その反対方向（図３の紙面上方向）を後方とし、また嵌合方向と直交する方向であって、図２のＡ−Ａ線に沿う方向を上下方向（高さ方向）、図２のＡ−Ａ線と直交するＢ−Ｂ線に沿う方向を左右方向（幅方向）とする。
【０００９】
防水コネクタ２０は、図１から図３に示すように、先端に雄型のコネクタ本体３０が接続されたケーブル１０と、コネクタ本体３０とケーブル１０の一部を収容する雄型のハウジング４０と、ケーブル１０に通した状態でハウジング４０に組み込まれ、ケーブル１０とハウジング４０の間の防水性を確保するシール部材としての環状のパッキン５０と、ケーブル１０に通した状態でパッキン５０のコネクタ本体３０側となる前側とは反対側の後側にてハウジング４０に組み込まれ、ハウジング４０にパッキン５０を抜け止め状態に保持する保持部材としての環状のストッパー６０とを有して構成されている。
【００１０】
コネクタ本体３０は、図１、図３に示すように、複数（本実施形態では４）の雌型の金属端子３１と、これら金属端子３１を相互絶縁状態で保持する樹脂ボディ３２と、この樹脂ボディ３２の外周側を覆うシールドシェル３３及びシェルカバー３４とを有して構成されている。
【００１１】
金属端子３１は導電性金属板材を所定の形状に打ち抜き、曲げ加工することにより形成されている。金属端子３１にはその後端から突出した状態で図示しない電線接続部が設けてある。樹脂ボディ３２は絶縁性合成樹脂材を成形することにより形成されている。樹脂ボディ３２には金属端子３１を１本ずつ個別に収容する複数（本実施形態では４）の端子収容室３２ａが設けてある。シールドシェル３３は導電性金属板材を所定の形状に打ち抜き、曲げ加工することにより形成されている。シールドシェル３３にはその後端から突出した状態で図示しないケーブル接続部が設けてある。シェルカバー３４は導電性金属板材を所定の形状に打ち抜き、曲げ加工することにより形成されている。シェルカバー３４にはその後端から突出した状態でケーブル接続部３４ａが設けてある。
【００１２】
ケーブル１０は、図示しない複数（本実施形態では４）の被覆電線と、これら被覆電線を束にして覆う外皮１１とを有して構成されている。ケーブル１０の先端部では外皮１１が皮むきされて被覆電線が露出されるとともに、被覆電線の絶縁被覆が皮むきされて芯線（導体）が露出される。この露出された芯線に金属端子３１の電線接続部が圧着接続又は半田接続された状態で被覆電線の先端に金属端子３１が接続され、ケーブル１０の先端に金属端子３１が接続されている。また外皮１１の先端部にシールドシェル３３のケーブル接続部が圧着接続され、そのケーブル接続部の外側にシールドシェル３３のケーブル接続部３４ａが重ねて圧着接続された状態でケーブル１０の先端にコネクタ本体３０が接続されている。
【００１３】
コネクタ本体３０の組み立ては、次の（ａ）から（ｄ）の手順で行われる。
（ａ）予めケーブル１０の先端部において露出された被覆電線の芯線に金属端子３１の電線接続部を圧着接続又は半田接続して被覆電線の先端に金属端子３１を接続し、ケーブル１０の先端に金属端子３１を接続する。
（ｂ）（ａ）でケーブル１０の先端に接続した金属端子３１を樹脂ボディ３２の端子収容室３２ａ内に後方から挿入して収容し、樹脂ボディ３２に金属端子３１を相互絶縁状態で保持させる。
（ｃ）（ｂ）で金属端子３１を相互絶縁状態で保持させた樹脂ボディ３２をシールドシェル３３内に後方から挿入して収容し、シールドシェル３３内に樹脂ボディ３２を抜け止め状態に固定した後、外皮１１の先端部にシールドシェル３３のケーブル接続部を圧着接続する。
（ｄ）（ｃ）で樹脂ボディ３２を収容して抜け止め状態に固定したシールドシェル３３の後部にシェルカバー３４を上方から被着し、シールドシェル３３にシェルカバー３４を係合固定した後、（ｃ）で外皮１１の先端部に圧着接続したシールドシェル３３のケーブル接続部の外側にシェルカバー３４のケーブル接続部３４ａを重ねて圧着接続する。
【００１４】
ハウジング４０は絶縁性合成樹脂材を成形することにより形成されている。ハウジング４０の前半部は角筒状に形成されて相手コネクタへの嵌合部４１になっており、ハウジング４０の後半部は嵌合部４１より太い角筒状に形成されて嵌合部４１を相手コネクタに対して挿抜きする際に手で持つための把持部４２になっている。またハウジング４０の上面には嵌合部４１を相手コネクタに挿入して嵌合した際に、嵌合部４１を相手コネクタに抜け止め状態に固定するためのロックアーム４３が嵌合部４１の上面と把持部４２の上面に跨って設けてある。
【００１５】
ハウジング４０の内部には、前側から順に、ケーブル１０の先端に接続されたコネクタ本体３０を収容する断面が角形をなすコネクタ本体収容室４４と、コネクタ本体３０の後部から引き出されたケーブル１０とそこに通したパッキン５０とを収容するシール部材収容室としての断面が円形をなすパッキン収容室４５と、コネクタ本体３０の後部から引き出されたケーブル１０とそこに通したストッパー６０を収容する保持部材収容室としての断面が円形をなすストッパー収容室４６が設けてある。これらコネクタ本体収容室４４、パッキン収容室４５及びストッパー収容室４６は互いに連通しており、コネクタ本体収容室４４の前端がハウジング４０の前端面となる嵌合部４１の前端面に開口され、ストッパー収容室４６の後端がハウジング４０の後端面となる把持部４２の後端面に開口されている。またパッキン収容室４５の上部からストッパー収容室４６の上部にはロックアーム４３の下面側にある隙間を把持部４２の後端面の上部に貫通させるための矩形の貫通孔４７が設けてある。
【００１６】
コネクタ本体収容室４４の前側開口縁には、コネクタ本体収容室４４内にコネクタ本体３０を後方から挿入して収容する際に、コネクタ本体３０の前端となるシールドシェル３３の前端を当接させてそれ以上のコネクタ本体３０の挿入を規制するためのコネクタ本体挿入ストッパー部４４ａが設けてある。またハウジング４０とコネクタ本体３０には、コネクタ本体収容室４４内にコネクタ本体３０を後方から挿入して収容する際に、コネクタ本体挿入ストッパー部４４ａにシールドシェル３３の前端が当接したときに、互いに係合してコネクタ本体収容室４４にコネクタ本体３０を抜け止め状態に固定するための一対の係合部４４ｂ，３５が設けてある。ハウジング４０側の係合部４４ｂはコネクタ本体収容室４４の周壁から突出して設けてある片持ち梁状の弾性腕であり、コネクタ本体３０側の係合部３５はシールドシェル３３とシェルカバー３４に設けてある突起やシェルカバー３４の左右側板の後端面などである。
【００１７】
パッキン収容室４５はその前側の断面が角形をなすコネクタ本体収容室４４より大径の断面が円形をなし、コネクタ本体収容室４４とパッキン収容室４５の間には後向き段面であって、パッキン収容室４５内にパッキン５０を後方から挿入して収容する際に、パッキン５０の前端を当接させてそれ以上のパッキン５０の挿入を規制するパッキン挿入規制部４５ａが設けてある。
【００１８】
ストッパー収容室４６はその前側の断面が円形をなすパッキン収容室４５より大径の円形をなし、パッキン収容室４５とストッパー収容室４６の間には後向き段面であって、ストッパー収容室４６内にストッパー６０を後方から挿入して収容する際に、ストッパー６０の前端を当接させてそれ以上のストッパー６０の挿入を規制するストッパー挿入規制部４６ａが設けてある。またハウジング４０とストッパー６０には、図４に示すように、ストッパー収容室４６内にストッパー６０を後方から挿入して収容する際に、ストッパー挿入規制部４６ａにストッパー６０の前端が当接したときに、互いに係合してストッパー収容室４６にストッパー６０を抜け止め状態に固定するための一対の係合部４６ｂ，６１が設けてある。さらにハウジング４０とストッパー６０には、図２に示すように、ストッパー収容室４６内にストッパー６０を後方から挿入して収容する際に、互いに嵌合してストッパー６０の周方向の位置決めを行うための一対の嵌合部４６ｃ，６２が設けてある。係合部４６ｂ，６１は嵌合部４６ｃ，６２が互いに嵌合した状態で互いに係合するようになっている。
【００１９】
パッキン５０はゴムなどの弾性材で円環状に形成されている。パッキン５０の中心部には、図３から図５及び図８から図９に示すように、ケーブル１０が通されるとともにその外皮１１の外周面に対して密着可能なケーブル挿通孔５１が表裏両側に抜けて、つまり前後に貫通して設けてある。このケーブル挿通孔５１の周面（パッキン５の内周面）には内側に突出する内周リップ部５２が前後に複数条（本実施形態では３条）並べて設けてあり、これら内周リップ部５２がケーブル１０の外周面に対して液密状に密着可能とされる。またパッキン５０の外周面には外側に突出する外周リップ部５３が前後に複数条（本実施形態では３条）並べて設けてあり、これら外周リップ部５３がパッキン収容室４５の周壁に対して液密状に密着可能とされる。
【００２０】
またパッキン５０は表裏対称形状で構成してあり、表裏の区別なく使用可能とされる。より具体的にはパッキン５０はケーブル挿通孔５１の軸心と直交する一平面を対称面として面対称構造を有している。
【００２１】
ストッパー６０は絶縁性合成樹脂材を成形することにより円環状に形成されている。図２から図４及び図６から図９に示すように、ストッパー６０には、表裏両側に抜けて、つまり前後に貫通してケーブル１０が通されるケーブル挿通孔６３と、このケーブル挿通孔６３を内孔とする円筒部６４と、この円筒部６４の前端と後端から外側に直角に突出してケーブル挿通孔６３の軸心方向で対向する一対の前後パッキン当接部６５，６６と、これら円筒部６４の外周面から前後パッキン当接部６５，６６の隙間にケーブル挿通孔６３の軸心方向に見て十字状に突出する４本の厚肉部から成る補強リブ６７ａ，６７ｂ，６７ｃ，６７ｄと、ストッパー収容室４６にストッパー６０を抜け止め状態に固定するためのストッパー６０側の係合部６１と、ストッパー６０の周方向の位置決めを行うためのストッパー６０側の嵌合部６２と、前後パッキン当接部６５，６６において４本の補強リブ６７ａ，６７ｂ，６７ｃ，６７ｄの相互間にある隙間を隔てて対向する円弧状部に表裏両側に抜けて、つまり前後に貫通してそれぞれ形成されてケーブル挿通孔６３の軸心方向で対向する一対の前後透孔６８，６９とを設けて構成されている。
【００２２】
４本の補強リブ６７ａ，６７ｂ，６７ｃ，６７ｄのうち、鉛直方向に延びる２本の補強リブ６７ａ，６７ｃはその先端面が前後パッキン当接部６５，６６の先端面を含むストッパー６０の外壁と面一になる径方向対称位置まで延びている。この鉛直方向に延びる２本の補強リブ６７ａ，６７ｃの先端面の中央部には、断面が半円形をなし前後方向に延びる突条が設けてある。この突条は前後パッキン当接部６５，６６の先端面の上にも延ばされてストッパー６０の厚さ寸法の全長に設けられている。この突条がそれぞれストッパー６０の周方向の位置決めを行うためのストッパー６０側の嵌合部６２になっている。これに対し、ストッパー収容室４６の周壁において、ストッパー収容室４６の中心を通る鉛直線（図２のＡ−Ａ線）が交差する上下２位置のうち下側の位置には、ストッパー６０側の一対の嵌合部６２と略同形状でどちらか一方の嵌合部６２を嵌合可能な溝が設けてあり、上側の位置には、ストッパー６０側の一対の嵌合部６２の断面形状より大きい断面形状を有して他方の嵌合部６２を遊嵌可能な溝が設けてあり、これら一対の上下溝がストッパー６０の周方向の位置決めを行うためのハウジング４０側の嵌合部４６ｃになっている。そして、ストッパー６０側の一方の嵌合部６２をハウジング４０側の下側の嵌合部４６ｃに対して位置合わせをした状態で、ストッパー収容室４６内にストッパー６０を後方から挿入して収容することで、ストッパー収容室４６に対してストッパー６０がその円筒部６４の外周面から４本の補強リブ６７ａ，６７ｂ，６７ｃ，６７ｄがケーブル挿通孔６３の軸心方向に見て十字状に突出する周方向位置に位置決めされるようになっている。
【００２３】
このようにハウジング４０とストッパー６０に設けてある一対の嵌合部４６ｃ，６２では、ストッパー収容室４６内にストッパー６０を後方から挿入して収容する際に、ストッパー６０側の一対の嵌合部６２を同時にハウジング４０側の一対の嵌合部４６ｃに位置合わせする必要がなく、組立性を向上することができる。
【００２４】
また４本の補強リブ６７ａ，６７ｂ，６７ｃ，６７ｄのうち、水平方向に延びる２本の補強リブ６７ｂ，６７ｄはその先端面が前後パッキン当接部６５，６６の先端面に到達せずストッパー６０の外壁に凹状の溝を作る径方向対称位置まで延びている。この溝は水平方向に延びる２本の補強リブ６７ｂ，６７ｄの先端面を溝底とし、その溝底の前後両端から外側に突出してケーブル挿通孔６３の軸心方向で対向する前後パッキン当接部６５，６６の一部を前後一対の溝側壁として有して構成されている。この溝がそれぞれストッパー収容室４６にストッパー６０を抜け止め状態に固定するためのストッパー６０側の係合部６１になっている。これら係合部６１はそれぞれケーブル挿通孔６３の軸心方向で対向する一対の前後溝側壁からなる一対の前後係合面６１ａを有している。これに対し、ストッパー収容室４６の周壁において、ストッパー６０の水平方向に延びる２本の補強リブ６７ｂ，６７ｄの先端面と対向する径方向の対称位置には、後方に開口するコ字形のスリット４６ｄを介して前方に突出する片持ち梁状の弾性腕（樹脂ランス）がストッパー収容室４６の周壁から突出して設けてあり、これら一対の左右弾性腕がそれぞれストッパー収容室４６にストッパー６０を抜け止め状態に固定するためのハウジング４０側の係合部４６ｂになっている。そして、ストッパー６０側の嵌合部６２をハウジング４０側の嵌合部４６ｃに嵌合しつつ、ストッパー収容室４６内にストッパー６０を後方から挿入して収容することで、ストッパー挿入規制部４６ａにストッパー６０の前面（前パッキン当接部６５の前面）が当接したときに、ストッパー６０側の係合部６１において後方に向く一方の係合面６１ａに対してハウジング４０側の係合部４６ｂにおいて前方に向く先端面が自動的に係合され、ストッパー収容室４６にストッパー６０を抜け止め状態に固定し、パッキン５０をパッキン収容室４５のパッキン挿入規制部４５ａとストッパー６０の前面の間に挟んだ状態でパッキン収容室４５に保持するようになっている。また、２本の補強リブ６７ｂ，６７ｄに対向する箇所で係合面６１ａと係合部４６ｂの先端面が係合されているため、ケーブル１０の引張やこじりなどによるストッパー６０への負荷を軽減することができるようになっている。また、パッキン５０の保持状態で、ケーブル挿通孔６３の軸心方向で対向する一対の前後透孔６８，６９を通してパッキン５０の有無を外部から目視で確認できるようになっている。
【００２５】
またストッパー６０は表裏対称形状で構成してあり、表裏の区別なく使用可能とされている。より具体的にはストッパー６０はケーブル挿通孔６３の軸心と直交する一平面を対称面として面対称構造を有している。
【００２６】
本実施形態は以上のような構造であり、続いてその作用を説明する。
まず、防水コネクタ２０の組み立ては、次の（１）から（５）の手順で行われる。
（１）ストッパー６０とパッキン５０をこの順にケーブル１０に通す。
（２）（１）でストッパー６０とパッキン５０が通されたケーブル１０の先端にコネクタ本体３０を前記（ａ）から（ｄ）の手順で組み立てる。
（３）（２）でケーブル１０の先端に接続されたコネクタ本体３０をハウジング４０のコネクタ本体収容室４４内に、コネクタ本体３０のシールドシェル３３の前端がコネクタ本体収容室４４のコネクタ本体挿入ストッパー部４４ａに当接するまで、後方から挿入して収容し、コネクタ本体３０を図３に示すようにハウジング４０のコネクタ本体収容室４４内に係合部４４ｂ，３５によって抜け止め状態で固定するとともに、（２）でコネクタ本体３０の後部から引き出されたケーブル１０を図８及び図９に示すようにハウジング４０のパッキン収容室４５とストッパー収容室４６を通してハウジング４０の後面側から引き出す。
（４）（１）で予めケーブル１０に通してあるパッキン５０をケーブル１０上で前方にスライドさせながらハウジング４０のパッキン収容室４５内に、パッキン５０の前端がパッキン収容室４５のパッキン挿入規制部４５ａに当接するまで、後方から挿入して収容する。
（５）（１）で予めケーブル１０に通してあるストッパー６０をケーブル１０上で前方にスライドさせながらハウジング４０のストッパー収容室４６内に、ストッパー６０の前面がストッパー収容室４６のストッパー挿入規制部４６ａに当接するまで、後方から挿入して収容し、ストッパー６０を図２から図４に示すようにストッパー収容室４６内に係合部４６ｂ，６１によって抜け止め状態で固定し、パッキン５０をパッキン収容室４５のパッキン挿入規制部４５ａとストッパー６０の前面の間に挟んだ状態でパッキン収容室４５に保持する。
【００２７】
以上のように組み立てられた防水コネクタ２０は、パッキン５０の内周リップ部５２がケーブル１０の外周面に対して液密状に密着するとともに、パッキン５０の外周リップ部５３がパッキン収容室４５の周壁に対して液密状に密着することで、前方のコネクタ本体収容室４４に外部から水などが侵入するのが防止されるようになっている。
【００２８】
以上説明したように本実施形態によれば、先端に金属端子３１が接続されたケーブル１０と、金属端子３１とケーブル１０の一部を収容するハウジング４０と、表裏両側に抜けたケーブル挿通孔５１を設けてケーブル１０に通した状態でハウジング４０に組み込まれ、ケーブル１０とハウジング４０の間の防水性を確保するシール部材としてのパッキン５０と、表裏両側に抜けたケーブル挿通孔６３を設けてケーブル１０に通した状態でパッキン５０の金属端子３１側とは反対側にてハウジング４０に組み込まれ、ハウジング４０にパッキン５０を抜け止め状態に保持する保持部材としてのストッパー６０とを有し、ハウジング４０とストッパー６０には互いに係合してハウジング４０にストッパー６０を抜け止め状態に固定するための係合部４６ｂ，６１が設けてある防水コネクタ２０において、ストッパー６０は表裏対称形状で構成してあるので、表裏の区別なく使用可能で、ハウジング４０に表裏どちらからでも組み込むことができ、ひいてはケーブル１０に表裏どちらからでも通すことができ、ケーブル１０に通す際に向きに注意する必要がなく、さらに向きを間違ってケーブル１０に通すという組み立て間違いが発生せず、組立性を向上することができる。
【００２９】
また、ハウジング４０側の係合部４６ｂはハウジング４０の内壁から突出して設けてある弾性腕であり、ストッパー６０側の係合部６１はストッパー６０の外壁に設けてある溝であって、ストッパー６０に設けたケーブル挿通孔６３の軸心方向で対向した一対の溝側壁からなる一対の係合面６１ａを有するため、ストッパー６０を表裏一側からケーブル１０に通した場合、ハウジング４０に設けてある弾性腕とストッパー６０に設けてある溝の一方の溝側壁からなる一方の係合面６１ａが係合し、ストッパー６０を表裏反対側からケーブル１０に通した場合、ハウジング４０に設けてある弾性腕とストッパー６０に設けてある溝の他方の溝側壁からなる他方の係合面６１ａが係合して、それぞれ、ハウジング４０にストッパー６０を抜け止め状態に固定することができ、ハウジング４０にストッパー６０を簡単な形状の係合部４６ｂ，６１で表裏の区別なく抜け止め状態に固定することができる。
【００３０】
また、ストッパー６０にはさらにケーブル挿通孔６３の周りで表裏両側に抜けた透孔６８，６９を設けてあるので、組み立てた後に、ストッパー６０に設けてある透孔６８，６９からパッキン５０の有無を目視で確認できる。
【００３１】
また、ハウジング４０とストッパー６０にはさらに互いに嵌合してストッパー６０の周方向の位置決めを行うための嵌合部４６ｃ，６２が設けてあり、係合部４６ｂ，６１は嵌合部４６ｃ，６２が互いに嵌合した状態で互いに係合するので、ハウジング４０側の係合部４６ｂとストッパー６０側の係合部６１が確実に係合し、ハウジング４０にストッパー６０を抜け止め状態により確実に固定することができる。
【００３２】
また、パッキン５０は表裏対称形状で構成してあるので、表裏の区別なく使用可能で、ハウジング４０に表裏どちらからでも組み込むことができ、ひいてはケーブル１０に表裏どちらからでも通すことができ、ケーブル１０に通す際に向きに注意する必要がなく、さらに向きを間違ってケーブル１０に通すという組み立て間違いが発生せず、組立性を向上することができる。
【符号の説明】
【００３３】
１０  ケーブル
２０  防水コネクタ
３１  金属端子
４０  ハウジング
４６ｂ，６１  係合部
４６ｃ，６２  嵌合部
５０  パッキン（シール部材）
５１  ケーブル挿通孔
６０  ストッパー（保持部材）
６１ａ  係合面
６３  ケーブル挿通孔
６８，６９  透孔
【図１】
0006653218.tif 000002
【図２】
0006653218.tif 000003
【図３】
0006653218.tif 000004
【図４】
0006653218.tif 000005
【図５】
0006653218.tif 000006
【図６】
0006653218.tif 000007
【図７】
0006653218.tif 000008
【図８】
0006653218.tif 000009
【図９】
0006653218.tif 000010